(57)【要約】【課題】大きな遮音ボックスを必要とすることなく、演奏者が、ヘッドホンを装着しなくても、外部への音漏れを十分に低減した状態で、演奏による楽音を聴くことができる電子楽器を提供する。【解決手段】演奏者Ｐによって操作される鍵盤６と、この鍵盤６の操作に応じた楽音を発生させるための楽音信号を生成する楽音信号生成手段と、超音波を生成する超音波生成手段４０と、生成された楽音信号に基づき、生成された超音波を変調する変調器４０と、放射面１１ａが演奏者Ｐに向くように配置され、変調された超音波を放射面１１ａから放射する超指向性スピーカ１１と、を備えている。【選択図】図１
2007047616.tif 000002
【特許請求の範囲】
【請求項１】
演奏者によって操作される演奏部と、
この演奏部の操作に応じた楽音を発生させるための楽音信号を生成する楽音信号生成手段と、
超音波を生成する超音波生成手段と、
前記生成された楽音信号に基づき、前記生成された超音波を変調する変調手段と、
放射面が演奏者に向くように配置され、前記変調された超音波を前記放射面から放射する第１スピーカと、
を備えていることを特徴とする電子楽器。
【請求項２】
前記超音波生成手段は、互いに周波数が異なる２つの超音波を生成可能に構成されており、
前記変調手段は、前記２つの超音波を、これら超音波の周波数の差が前記生成された楽音信号に基づく楽音の周波数になるように変調することを特徴とする請求項１に記載の電子楽器。
【請求項３】
前記生成された楽音信号に基づく楽音を放音する第２スピーカと、
前記生成された楽音信号に基づく楽音を発生させる楽音発生モードを、前記第１スピーカから超音波を放射する第１スピーカモード、および前記第２スピーカから楽音を放音する第２スピーカモードの一方に切り換える楽音発生モード切換手段と、
をさらに備えていることを特徴とする請求項１または２に記載の電子楽器。
【請求項４】
演奏者にその耳を覆った状態で装着可能に構成され、前記生成された楽音信号に基づく楽音を再生するヘッドホンと、
前記生成された楽音信号に基づく楽音を発生させる楽音発生モードを、前記第１スピーカから超音波を放射する第１スピーカモード、および前記ヘッドホンで楽音を再生するヘッドホンモードの一方に切り換える楽音発生モード切換手段と、
をさらに備えていることを特徴とする請求項１または２に記載の電子楽器。
【請求項５】
前記生成された楽音信号に基づく楽音を放音する第２スピーカと、
演奏者にその耳を覆った状態で装着可能に構成され、前記生成された楽音信号に基づく楽音を再生するヘッドホンと、
前記生成された楽音信号に基づく楽音を発生させる楽音発生モードを、前記第１スピーカから超音波を放射する第１スピーカモード、前記第２スピーカから楽音を放音する第２スピーカモード、および前記ヘッドホンで楽音を再生するヘッドホンモードのいずれか１つに切り換える楽音発生モード切換手段と、
をさらに備えていることを特徴とする請求項１または２に記載の電子楽器。
【請求項６】
前記第１スピーカから放射される超音波の放射方向を調整する超音波放射方向調整手段を、さらに備えていることを特徴とする請求項１ないし５のいずれかに記載の電子楽器。
【発明の詳細な説明】
【技術分野】
【０００１】
本発明は、例えば電子ピアノや消音型ピアノなど、電子音源を内蔵する電子楽器に関する。
【背景技術】
【０００２】
この種の電子楽器は、通常、電子音源による楽音を外部に放音するスピーカを備えており、また、ヘッドホンが接続され、それを演奏者が装着することによって、その楽音を演奏者のみが聴けるようになっている。例えば、夜間に電子楽器を演奏する場合など、その演奏音が周囲の迷惑にならないようにするために、演奏者は、ヘッドホンを装着して演奏することがある。このようにヘッドホンを装着して演奏することは、演奏者にとっては煩わしく、特に、ヘッドホンを長時間、装着していると、耳が痛くなり、演奏者に負担がかかってしまう。本出願人は、このような問題を回避するための鍵盤楽器用スピーカの漏音防止構造を、すでに出願している（特許文献１）。
【０００３】
この漏音防止構造は、電子音源によって楽音を発生させることに加えて、通常のアコースティックピアノとしての演奏も可能な消音型ピアノに適用したものであり、ピアノの前側に着脱自在に設けられたボックス状の囲い（以下「遮音ボックス」という）と、この遮音ボックス内に設けられた一対のスピーカとを備えている。遮音ボックスは、演奏者の頭部を、比較的大きなスペースをもって囲むように形成されるとともに、底面全体および前面の中央部が開放されている。また、両スピーカはいずれも、演奏者の頭部に向いた状態で、遮音ボックスの内側に取り付けられるとともに、ピアノの電子音源の出力端子に接続されている。このように構成された漏音防止構造では、遮音ボックス内のスピーカから放音された楽音は、演奏者の耳に届くとともに、遮音ボックスによって、外部への音漏れが防止される。これにより、演奏者は、ヘッドホンを装着しなくても、外部への音漏れを防止した状態で、演奏音を聴くことができる。なお、昼間にピアノを演奏する場合など、演奏音が周囲の迷惑にならない場合には、遮音ボックスをピアノから取り外した状態で演奏が行われ、この場合、演奏音は、通常のアコースティックピアノと同様に、打弦されることによって発生する。
【０００４】
この漏音防止構造では、遮音ボックス内のスピーカから放音された演奏音が、遮音ボックスにおいて開放された底面および前面から若干漏れるものの、その演奏音の大部分を遮音ボックスによって遮断することにより、外部への音漏れを低減している。しかし、ピアノに着脱される遮音ボックスは、それ自体が大きいため、その着脱の作業が煩雑である。また、遮音ボックスをピアノに取り付けて演奏する場合、演奏者の頭部が遮音ボックスで覆われた状態になるため、演奏者に圧迫感や息苦しさなどの不快感を与えることがある。さらに、遮音ボックスをピアノから取り外した場合には、それを保管するための比較的大きな保管スペースが必要になる。したがって、上記の漏音防止構造には改善の余地がある。
【０００５】
本発明は、以上のような課題を解決するためになされたものであり、大きな遮音ボックスを必要とすることなく、演奏者が、ヘッドホンを装着しなくても、外部への音漏れを十分に低減した状態で、演奏による楽音を聴くことができる電子楽器を提供することを目的とする。
【０００６】
【特許文献１】特開平８−１９４４８２号公報
【発明の開示】
【課題を解決するための手段】
【０００７】
上記の目的を達成するために、請求項１に係る発明は、演奏者によって操作される演奏部と、この演奏部の操作に応じた楽音を発生させるための楽音信号を生成する楽音信号生成手段と、超音波を生成する超音波生成手段と、生成された楽音信号に基づき、生成された超音波を変調する変調手段と、放射面が演奏者に向くように配置され、変調された超音波を放射面から放射する第１スピーカと、を備えていることを特徴とする。
【０００８】
この構成によれば、演奏部が演奏者によって操作されることにより、その操作に応じた楽音を発生させるための楽音信号が、楽音信号生成手段によって生成される。次いで、生成された楽音信号に基づき、超音波生成手段で生成された超音波が、変調手段によって変調される。そして、変調された超音波が、第１スピーカの放射面から演奏者に向かって放射される。このようにして変調され、放射される超音波は、可聴周波数帯域の音波よりも指向性が極めて高く、また、空気などの媒質を伝搬する過程における非線形作用によって自己復調されることにより、可聴音になり、楽音として演奏者に到達する。この楽音は、指向性が極めて高い状態で演奏者の耳に届き、演奏者の周囲にはほとんど聞こえない。したがって、上記構成の電子楽器によれば、演奏者は、従来と異なり、大きな遮音ボックスを必要とすることなく、ヘッドホンを装着しなくても、外部への音漏れを十分に低減した状態で、演奏による楽音を聴くことができる。
【０００９】
請求項２に係る発明は、請求項１に記載の電子楽器において、超音波生成手段は、互いに周波数が異なる２つの超音波を生成可能に構成されており、変調手段は、２つの超音波を、これら超音波の周波数の差が生成された楽音信号に基づく楽音の周波数になるように変調することを特徴とする。
【００１０】
この構成によれば、変調手段により、互いに周波数が異なる２つの超音波を、両者の周波数の差が発生させるべき楽音の周波数になるように変調する。したがって、変調された２つの超音波が第１スピーカから放射されることにより、両超音波の非線形相互作用による自己復調によって、上記請求項１の作用、効果を容易に実現することができる。
【００１１】
請求項３に係る発明は、請求項１または２に記載の電子楽器において、生成された楽音信号に基づく楽音を放音する第２スピーカと、生成された楽音信号に基づく楽音を発生させる楽音発生モードを、第１スピーカから超音波を放射する第１スピーカモード、および第２スピーカから楽音を放音する第２スピーカモードの一方に切り換える楽音発生モード切換手段と、をさらに備えていることを特徴とする。
【００１２】
この構成によれば、超音波を放射する第１スピーカに加えて、可聴音としての楽音を直接、放音する第２スピーカを備えており、楽音発生モード切換手段により、楽音発生モードを、第１スピーカモードおよび第２スピーカモードの一方に切り換えることができる。したがって、例えば、夜間に演奏する場合などには、第１スピーカモードに切り換え、第１スピーカから超音波を放射することによって、外部への音漏れが低減され、それにより、演奏音が周囲に迷惑にならない状態で、演奏を行うことができる。一方、昼間に演奏する場合などには、第２スピーカモードに切り換え、第２スピーカから楽音を放音することによって、周囲に演奏音を響かせながら、通常の演奏を行うことができる。
【００１３】
請求項４に係る発明は、請求項１または２に記載の電子楽器において、演奏者にその耳を覆った状態で装着可能に構成され、生成された楽音信号に基づく楽音を再生するヘッドホンと、生成された楽音信号に基づく楽音を発生させる楽音発生モードを、第１スピーカから超音波を放射する第１スピーカモード、およびヘッドホンで楽音を再生するヘッドホンモードの一方に切り換える楽音発生モード切換手段と、をさらに備えていることを特徴とする。
【００１４】
この構成によれば、超音波を放射する第１スピーカに加えて、演奏者にその耳を覆った状態で装着可能で且つ楽音を再生するヘッドホンを備えており、楽音発生モード切換手段により、楽音発生モードを、第１スピーカモードおよびヘッドホンモードの一方に切り換えることができる。したがって、例えば、夜間に長時間、演奏する場合などには、第１スピーカモードに切り換え、第１スピーカから超音波を放射することによって、演奏音が周囲に迷惑にならない状態で、かつ、演奏者がヘッドホンを装着したときの煩わしさや耳の痛みなどの負担を感じることなく、演奏を行うことができる。一方、夜間に比較的短時間、演奏する場合や、外部への音漏れを確実に防止したり、演奏音以外の雑音などが演奏者に聞こえるのを防止したりしたい場合などには、ヘッドホンモードに切り換え、ヘッドホンで楽音を再生することによって、演奏音の周囲への音漏れを確実に防止できるとともに演奏者が自身の集中力を維持しながら、演奏を行うことができる。
【００１５】
請求項５に係る発明は、請求項１または２に記載の電子楽器において、生成された楽音信号に基づく楽音を放音する第２スピーカと、演奏者にその耳を覆った状態で装着可能に構成され、生成された楽音信号に基づく楽音を再生するヘッドホンと、生成された楽音信号に基づく楽音を発生させる楽音発生モードを、第１スピーカから超音波を放射する第１スピーカモード、第２スピーカから楽音を放音する第２スピーカモード、およびヘッドホンで楽音を再生するヘッドホンモードのいずれか１つに切り換える楽音発生モード切換手段と、をさらに備えていることを特徴とする。
【００１６】
この構成によれば、上記第１スピーカに加えて、上記第２スピーカおよびヘッドホンを備えており、楽音発生モード切換手段により、楽音発生モードを、第１スピーカモード、第２スピーカモード、およびヘッドホンモードのいずれか１つに切り換えることができる。これにより、上述した請求項３および４と同様の作用、効果を得ることができる。
【００１７】
請求項６に係る発明は、請求項１ないし５のいずれかに記載の電子楽器において、第１スピーカから放射される超音波の放射方向を調整する超音波放射方向調整手段を、さらに備えていることを特徴とする。
【００１８】
この構成によれば、超音波放射方向調整手段によって、第１スピーカから放射される超音波の放射方向を演奏者に応じて適切に調整することができる。したがって、例えば、大人と子供など、耳の高さや位置が異なる演奏者が演奏する場合でも、第１スピーカの放射面を演奏者の耳に向くよう調整することにより、演奏者は、楽音を良好に聴きながら、演奏を行うことができる。
【発明を実施するための最良の形態】
【００１９】
以下、図面を参照しながら、本発明の好ましい実施形態を詳細に説明する。図１は、本発明の一実施形態による電子楽器を適用した電子ピアノを示している。同図に示すように、この電子ピアノ１は、ピアノ本体２およびこれを支持するスタンド３を備え、さらにペダル４や譜面立て５などを備えている。
【００２０】
ピアノ本体２の前部には、左右方向に並んだ多数の鍵６ａを有する鍵盤６（演奏部）が配置され、後部には、操作パネル７が配置されている。各鍵６ａには、その押鍵／離鍵により開閉（ＯＮ／ＯＦＦ）される鍵スイッチ（図示せず）が設けられている。操作パネル７には、各種のスイッチ８および表示器９などが設けられている。各種のスイッチ８として例えば、デモ演奏スイッチや音色選択スイッチ、さらには、鍵盤６の押鍵に応じた楽音を発生させる楽音発生モードを、後述する超指向性スピーカ１１からの超音波の放射による超指向性スピーカモード（第１スピーカモード）、通常スピーカ２３からの楽音の放音による通常スピーカモード（第２スピーカモード）、およびヘッドホン２４での楽音の再生によるヘッドホンモードのいずれか１つに切り換えるための楽音発生モード切換スイッチ８ａ（楽音発生モード切換手段、図３参照）などが設けられている。また、表示器９は、液晶などで構成され、スイッチ８の設定状態などを表示する。
【００２１】
ピアノ本体２の天板２ａの左右端部には、超音波を放射可能な超指向性スピーカ１１、１１（第１スピーカ）がそれぞれ設けられている。これらの超指向性スピーカ１１、１１は、後述するように、超音波を放射することにより、鍵盤６の押鍵に応じた楽音を、極めて高い指向性をもって演奏者に聞こえるようにするためのものである。各超指向性スピーカ１１の放射面１１ａは、例えば、多数の小口径超音波素子が平面状に並んだアレー構造になっている。また、各超指向性スピーカ１１は、放射面１１ａから放射される超音波の放射方向が、演奏者Ｐ側に向くように設定される（図４（ａ）参照）。
【００２２】
また、各超指向性スピーカ１１は、スピーカホルダ１２（超音波放射方向調整手段）を介して、ピアノ本体２の天板２ａ上に取り付けられている。図２に示すように、スピーカホルダ１２は、左右方向に延びる底壁１３と、その左右両端部から上方に延びる左右の側壁１４、１４とにより、正面形状が上方に開口したコ字状に形成されている。底壁１３には、その底面の中心部に、回動軸１３ａが下方に突設されており、この回動軸１３ａを介して、スピーカホルダ１２が、ピアノ本体２の天板２ａ上で回動自在になっている。また、左右の側壁１４、１４にはそれぞれ、回動軸１４ａ、１４ａが内方に突設されており、これらの回動軸１４ａ、１４ａを介して、超指向性スピーカ１１が回動自在に支持されている。以上のように構成されたスピーカホルダ１２により、超指向性スピーカ１１の放射面１１ａの向き、すなわち超音波の放射方向が、演奏者に応じて適宜、上下左右に調整される。
【００２３】
スタンド３は、左右方向に延びる背板２１と、その左右両端部から下方に延びる左右の脚板２２、２２とを一体に組み立てたものである。背板２１の前面には、鍵盤６の押鍵に応じた楽音を、可聴音として直接、放音する通常スピーカ２３、２３（第２スピーカ）が設けられている。また、背板２１には、左側の通常スピーカ２３の左方に、ヘッドホン２４から延びるケーブル２５の先端部のヘッドホンプラグ２６を挿入可能なヘッドホンジャック２７が設けられている。ヘッドホン２４は、演奏者にその両耳を覆った状態で装着可能に構成され、鍵盤６の押鍵に応じた楽音を再生する。
【００２４】
図３は、電子ピアノ１の楽音の発生を制御するための回路構成を示している。まず、操作パネル７の各種スイッチ８の設定状態は、パネルスキャン回路３１で検出され、パネルスイッチデータとして、システムバス３２を介してＣＰＵ３３に送られる。また、鍵盤６の各鍵６ａに対応する鍵スイッチのＯＮ／ＯＦＦ状態は、鍵盤スキャン回路３４で検出され、そのＯＮ／ＯＦＦ情報、ノートナンバー、およびベロシティを表すタッチデータが、押鍵情報データとして、鍵盤スキャン回路３４からシステムバス３２を介してＣＰＵ３３に送られる。さらに、ヘッドホンジャック２７には、ヘッドホンスイッチ（図示せず）が内蔵され、このヘッドホンスイッチから、ヘッドホンプラグ２６のヘッドホンジャック２７への差し込みの有無を表す検出信号が、ＣＰＵ３３に送られる。
【００２５】
また、ＲＡＭ３５は、電子ピアノ１の動作状態を表すステータス情報などを一時的に記憶するとともに、ＣＰＵ３３の作業領域として用いられる。ＲＯＭ３６は、ＣＰＵ３３で実行される制御プログラムや、ＣＰＵ３３での演算に使用される各種の固定データなどを記憶している。ＲＡＭ３５およびＲＯＭ３６は、ＣＰＵ３３によりシステムバス３２を介してアクセスされる。
【００２６】
ＣＰＵ３３は、電子ピアノ１の各部を制御するものであり、パネルスキャン回路３１からのパネルスイッチデータや、鍵盤スキャン回路３４からの押鍵情報データなどに応じ、上記制御プログラムに従って、発生させるべき楽音の周波数特性や出力レベルなどを演算し、その演算結果に基づく制御信号を、音源回路３７、イコライザ（以下「ＥＱ」という）３８、デジタルシグナルプロセッサ（以下「ＤＳＰ」という）３９、楽音発生選択スイッチ８ａ、および変調器４０（超音波生成手段、変調手段）に出力する。
【００２７】
音源回路３７は、ＣＰＵ３３からの制御信号に従って、楽音波形データおよびエンベロープデータを波形メモリ４１から読み出し、この読み出した楽音波形データにエンベロープデータを付加することによって、原音となる楽音信号を生成する。この楽音信号は、Ａ／Ｄ変換器４２でデジタル信号に変換された後、ＥＱ３８に送られる。このＥＱ３８は、入力された楽音信号の周波数特性を補正するものであり、例えば、楽音発生モードが超指向性スピーカモードに切り換えられている場合には、比較的再生し難い低音域を強調するように補正する。ＥＱ３８で補正された楽音信号は、ＤＳＰ３９に送られ、所定の音響効果が付加される。この音響効果が付加された楽音信号は、Ｄ／Ａ変換器４３でアナログ信号に変換される。以上のように、本実施形態の楽音信号生成手段は、音源回路３７、波形メモリ４１、Ａ／Ｄ変換器４２、ＥＱ３８、ＤＳＰ３９、Ｄ／Ａ変換器４３などで構成されている。上記Ｄ／Ａ変換器４３でアナログ信号に変換された楽音信号は、楽音発生モード切換スイッチ８ａによる楽音発生モードの切換状態に応じて、超指向性スピーカ１１側、通常スピーカ２３側、およびヘッドホン２４側のいずれか１つに送られる。すなわち、楽音発生モードが、超指向性スピーカモードのときには超指向性スピーカ１１側に、通常スピーカモードのときには通常スピーカ２３側に、ヘッドホンモードのときにはヘッドホン２４側に、上記楽音信号が送られる。なお、ヘッドホンプラグ２６がヘッドホンジャック２７に差し込まれているときには、楽音発生モードがヘッドホンモードに切り換えられ、それにより、上記楽音信号は、ヘッドホン２４側に送られる。
【００２８】
楽音発生モードが超指向性スピーカモードのときには、アナログ信号に変換された楽音信号は、変調器４０に送られる。この変調器４０は、互いに周波数が異なる２つの超音波を生成するとともに、両超音波を、入力された楽音信号に基づいて変調する。具体的には、両超音波は、互いの周波数の差が入力された楽音信号の周波数になるように変調される。そして、このように変調された両超音波は、パワーアンプ４５によって増幅され、両超指向性スピーカ１１、１１の放射面１１ａ、１１ａから放射される。このように両超指向性スピーカ１１、１１からそれぞれ放射された２つの超音波は、空気中を伝搬する過程における非線形相互作用によって自己復調されることにより、可聴音になり、楽音として演奏者に到達する。そして、この楽音は、図４（ａ）に示すように、指向性が極めて高い状態で演奏者Ｐの耳に届き、演奏者Ｐの周囲にはほとんど聞こえることがない。
【００２９】
また、楽音発生モードが通常スピーカモードのときには、アナログ信号に変換された楽音信号は、パワーアンプ４４によって増幅され、両通常スピーカ２３、２３によって再生される。すなわち、再生された楽音は、図４（ｂ）に示すように、両通常スピーカ２３、２３から直接、可聴音として放音され、演奏者Ｐ側に向かって広がりながら鳴り響く。
【００３０】
さらに、楽音発生モードがヘッドホンモードのときには、アナログ信号に変換された楽音信号は、ヘッドホン２４によって再生される。すなわち、再生された楽音は、図４（ｃ）に示すように、ヘッドホン２４を装着した演奏者Ｐの耳に直接届き、外部への音漏れが防止される。
【００３１】
以上のように、本実施形態の電子ピアノ１によれば、放射面１１ａが演奏者Ｐに向くように配置された両超指向性スピーカ１１、１１を備えており、楽音発生モードが超指向性スピーカモードに切り換えられた状態で演奏されたときには、両超指向性スピーカ１１、１１から超音波が放射され、楽音としての可聴音が、指向性が極めて高い状態で演奏者Ｐの耳に届く。したがって、演奏者Ｐは、ヘッドホン２４を装着しなくても、外部への音漏れを十分に低減した状態で、演奏音を聴くことができる。また、電子ピアノ１は、両超指向性スピーカ１１、１１に加えて、両通常スピーカ２３、２３およびヘッドホン２４を備えており、楽音発生モードを、超指向性スピーカモード、通常スピーカモードおよびヘッドホンモードのいずれか１つに切り換えることにより、超指向性スピーカ１１、通常スピーカ２３およびヘッドホン２４のいずれか１つから任意に、演奏音を発生させることができる。
【００３２】
例えば、夜間に演奏する場合などには、楽音発生モードを、超指向性スピーカモードまたはヘッドホンモードに切り換えることにより、演奏者Ｐは、演奏音が周囲に迷惑にならない状態で、演奏を行うことができる。特に、夜間に長時間、演奏する場合などには、超指向性スピーカモードに切り換えることにより、演奏者Ｐは、ヘッドホン２４を装着したときの煩わしさや耳の痛みなどの負担を感じることなく、演奏を行うことができる。また、夜間に比較的短時間、演奏する場合や、外部への音漏れを確実に防止したり、演奏音以外の雑音などが演奏者Ｐに聞こえるのを防止したりしたい場合などには、ヘッドホンモードに切り換えることによって、演奏音の周囲への音漏れを確実に防止できるとともに演奏者Ｐが自身の集中力を維持しながら、演奏を行うことができる。一方、昼間に演奏する場合などには、通常スピーカモードに切り換えることにより、周囲に演奏音を響かせながら、演奏を行うことができる。
【００３３】
また、超指向性スピーカ１１を支持するスピーカホルダ１２によって、超指向性スピーカ１１から放射される超音波の放射方向を、演奏者Ｐに応じて適切に調整することができる。例えば、大人と子供など、耳の高さや位置が異なる演奏者Ｐが演奏する場合でも、超指向性スピーカ１１の放射面１１ａを演奏者Ｐの耳に向くよう調整することにより、演奏者Ｐは、演奏音を良好に聴きながら、演奏を行うことができる。
【００３４】
なお、本発明は、説明した上記実施形態に限定されることなく、種々の態様で実施することができる。例えば、実施形態では、本発明を電子ピアノに適用した場合について説明したが、本発明はこれに限定されるものではなく、電子音源を備えた他の電子楽器、例えば消音型ピアノや電子オルガンなどにも適用することができる。また、実施形態では、超指向性スピーカ１１を、超音波素子を用いて構成したが、圧電特性を有する圧電高分子膜などを用いて構成してもよい。また、実施形態で示した電子ピアノ１の細部の構成などは、あくまで例示であり、本発明の趣旨の範囲内で適宜、変更することができる。
【図面の簡単な説明】
【００３５】
【図１】本発明の一実施形態による電子楽器を適用した電子ピアノを示す斜視図である。
【図２】超指向性スピーカを示す図であり、（ａ）平面図、（ｂ）正面図、（ｃ）側面図である。
【図３】電子ピアノの楽音の発生を制御するための回路構成を示すブロック図である。
【図４】電子ピアノの各楽音発生モードにおける楽音の発生を説明するための図であり、（ａ）超指向性スピーカモード、（ｂ）通常スピーカモード、（ｃ）ヘッドホンモードを示している。
【符号の説明】
【００３６】
１    電子ピアノ（電子楽器）
６    鍵盤（演奏部）
８ａ  楽音発生モード切換スイッチ（楽音発生モード切換手段）
１１    超指向性スピーカ（第１スピーカ）
１２    スピーカホルダ（超音波放射方向調整手段）
２３    通常スピーカ（第２スピーカ）
２４    ヘッドホン
４０    変調器（超音波生成手段、変調手段）
Ｐ    演奏者
【図１】
2007047616.tif 000003
【図２】
2007047616.tif 000004
【図３】
2007047616.tif 000005
【図４】
2007047616.tif 000006